(57)【要約】【課題】携帯時にはかさばらず、使用時にはスムーズに靴を履くことができた上で、複数の用途をもった携帯用靴べらを提供する。【解決手段】靴べら部材１０と取手部材２０と両者を互いに連結するキーリング３０とを有する。靴べら部材１０は、一端１１側が他端１２側よりも幅広に形成された形状復元性を有する樹脂製の平板であり、一端１１側が足の踵を滑らせる足当て部１３をなす。靴べら部材１０の他端１２側の一方の角部１４ａにはキーリング３０が連結され、他方の角部１４ｂには切欠部１５が設けられている。キーリング３０を切欠部１５に係合させ、靴べら部材１０の一端１１側と取手部材２０の他端２４を互いに逆向きに配置した状態で、取手部材２０を把持して靴べら部材１０側に押すことにより、靴べら部材１０の足当て部１３がその幅方向に湾曲変形するので、スムーズに靴を履くことができる。【選択図】図１
2019051099.tif 000002
【特許請求の範囲】
【請求項１】
靴べら部材と、取手部材と、当該靴べら部材と当該取手部材とを互いに連結している円環状の連結部材と、を有し、
前記靴べら部材は、形状復元性を有する樹脂製の平板であって、足の踵を滑らせる足当て部をその一端側に有し、他端側の一方の角部には前記連結部材が連結されるとともに他方の角部には切欠部が設けられており、
前記取手部材は、前記靴べら部材よりも剛性が高く且つ小寸の部材であり、その一端近傍に前記連結部材が連結されており、
前記連結部材を前記切欠部に係合させ、前記靴べら部材の前記一端側と前記取手部材の他端を互いに逆向きに配置した状態で、前記取手部材を把持しつつ前記靴べら部材側に押すことにより、前記靴べら部材の前記足当て部がその幅方向に湾曲変形することを特徴とする携帯用靴べら。
【請求項２】
前記靴べら部材は、前記他端側から前記一端側に放射状に延びる複数の溝を片方の面に有し、当該複数の溝を境界線にして複数箇所が少しずつ屈曲することによりその幅方向に使用者の踵の大きさに合せて湾曲変形する、請求項１記載の携帯用靴べら。
【請求項３】
前記取手部材の前記一端には、前記取手部材を把持する手の親指を掛けるための突起部が設けられている、請求項１又は２記載の携帯用靴べら。
【発明の詳細な説明】
【技術分野】
【０００１】
本発明は複数の用途をもった携帯用靴べらに関する。
【背景技術】
【０００２】
従来、下記特許文献１に示したように、携帯用靴べらは硬質のプラスチックや金属等で形成されており、足のかかとを滑らせる足当て部と、手で把持する把持部とが一体形成されている。足当て部は足のかかとの丸みに合わせた球面に形成されている。使用の際には、足当て部を足のかかとと靴との間に挿し込んだ状態で足のかかとを靴の中に滑り込ませるとともに、把持部を把持して靴べらを引き抜くことにより、スムーズに靴を履くことができるものである。
また、キーホルダーとしても利用できる複数の用途を持った携帯用靴べらが下記特許文献２〜３に示されたように公知である。
【０００３】
しかし、従来公知の携帯用靴べらは、硬質材で形成され、足当て部は足のかかとの丸みに合わせた球面を有する立体形状になっているため意外と嵩張るものであった。また、キーホルダーとしても用いることのできる携帯用靴べらは公知であるが、本願発明に係る靴べらのように、不使用時には平板状となっており、その表面に様々な意匠を施し、或は広告宣伝用図柄や文字を印刷できた上で、使用時に湾曲させて用いることができる靴べらは存在しない。
【先行技術文献】
【特許文献】
【０００４】
【特許文献１】特開平１１‐０５６５８０号公報
【特許文献２】実開平０６−００９５７８公報
【特許文献３】実開平０５−４１４８１号公報
【発明の概要】
【発明が解決しようとする課題】
【０００５】
本発明が解決しようとする課題は、携帯時にはかさばらず、使用時にはスムーズに靴を履くことができた上で、複数の用途をもった携帯用靴べらを提供せんとするにある。
【課題を解決するための手段】
【０００６】
上記課題を解決するために、本発明に係る携帯用靴べらは、靴べら部材と、取手部材と、当該靴べら部材と当該取手部材とを互いに連結している円環状の連結部材と、を有し、前記靴べら部材は、形状復元性を有する樹脂製の平板であって、足のかかとを滑らせる足当て部をその一端側に有し、他端側の一方の角部には前記連結部材が連結されるとともに他方の角部には切欠部が設けられており、前記取手部材は、前記靴べら部材よりも剛性が高く且つ小寸の部材であり、その一端近傍に前記連結部材が連結されており、前記連結部材を前記切欠部に係合させ、前記靴べら部材の前記一端側と前記取手部材の他端を互いに逆向きに配置した状態で、前記取手部材を把持しつつ前記靴べら部材側に押すことにより、前記靴べら部材の前記足当て部がその幅方向に湾曲変形するものである。
【０００７】
前記靴べら部材は、前記他端側から前記一端側に放射状に延びる複数の溝を片方の面に有し、当該複数の溝を境界線にして複数箇所が少しずつ屈曲することによりその幅方向に使用者の踵の大きさに合わせて湾曲変形することが望ましい。
【０００８】
前記取手部材の前記一端には、前記取手部材を把持する手の親指を掛けるための突起部が設けられていることが望ましい。
【発明の効果】
【０００９】
本発明に係る携帯用靴べらは、携帯時には、靴べら部材が平板状になっているのでかさばらない。そして、使用時には、靴べら部材と取手部材とを互いに連結している円環状の連結部材を靴べら部材の切欠部に係合させ、靴べら部材の一端側と取手部材の他端を互いに逆向きに配置した状態で、取手部材を把持しつつ靴べら部材側に押すことにより、靴べら部材の足当て部がその幅方向に曲率を有して湾曲変形するのでスムーズに靴を履くことができる。さらに本発明に係る携帯用靴べらは、キーホルダーとしても使用でき、不使用時には表面が平らになるので、この平らな面を利用してファッション性に優れ、様々な広告宣伝機能を発揮できるものである。
【図面の簡単な説明】
【００１０】
【図１】携帯用靴べらの表面側の平面図である。
【図２】アダプタの斜視図である。
【図３】携帯用靴べらの裏面側の平面図である。
【図４】キーリングを切欠部に係合させた状態の携帯用靴べらの平面図である。
【図５】キーリングを切欠部に係合させるとともに靴べら部材の一端と取手部材の他端を互いに逆向きに配置した状態の携帯用靴べらの斜視図である。
【図６】携帯用靴べらを使用する際の一態様を示す斜視図である。
【図７】靴べら部材の足当て部がその幅方向に湾曲変形した状態を示す断面図である。
【図８】携帯用靴べらを使用する際の一態様を示す斜視図である。
【図９】携帯用靴べらをタブレット型携帯端末用のスタンドとして使用する際の一態様を示す斜視図である。
【発明を実施するための形態】
【００１１】
以下、本発明に係る携帯用靴べらの実施形態について添付図面を参照しつつ説明する。
図１に示すように、携帯用靴べら１は、靴べら部材１０と取手部材２０とをキーリング（円環状の連結部材）３０で互いに連結してなる。
【００１２】
靴べら部材１０は、手の把持力で変形しうる可撓性と平板形状に復帰する形状復元性とを有する樹脂製の平板である。靴べら部材１０の一端１１の幅寸法Ｗ１と他端１２の幅寸法Ｗ２は同じ幅寸法であり、一端１１側が足の踵を滑らせる足当て部１３として機能する。勿論Ｗ１の幅をＷ２より広く形成することは任意である。他端１２側の一方の角部１４ａにはキーリング３０が連結され、他方の角部１４ｂにはキーリング３０を係合させるための切欠部１５が設けられている。キーリング３０は、角部１４ａに設けられた円形の貫通孔１６に通して連結されている。靴べら部材１０の縁部は全周に亘って滑らかに面取りされ、一端１１の縁部は円弧状に形成されている。
【００１３】
靴べら部材１０の表面１７すなわち、携帯用靴べら１として使用する際に足に接する方の面には、他端１２側から一端１１側に放射状に延びる複数の溝１８が形成されている。靴べら部材１０は、これら複数の溝１８を境界線にして複数箇所が少しずつ屈曲することによりその幅方向に使用者の踵の大きさに合せて湾曲変形しうる（図７参照）。また、靴べら部材１０は、部材全体が可撓性を有しているため、幅方向だけでなく長手方向にも湾曲変形し得る。
【００１４】
取手部材２０は、靴べら部材１０よりも剛性が高く且つ小寸の細長い部材であり、その一端２１の近傍にキーリング３０が連結されている。キーリング３０は、一端２１の近傍に設けられた円形の貫通孔２２に通して連結されている。取手部材２０の一端２１には、取手部材２０を把持する手Ｈの親指Ｈｓを掛けるための突起部２３が設けられている（図８参照）。
【００１５】
キーリング３０は、ばね鋼線を円環状に二重に重ねて巻回してなる高い剛性を有する部材である。キーリング３０には、靴べら部材１０及び取手部材２０だけでなく、必要に応じて車両や住居の鍵などを連結することができる。つまり、本発明に係る携帯用靴べら１はキーホルダーとしても併用できる。
【００１６】
取手部材２０の他端２４側には、取手部材２０をスマートフォンなどタブレット型携帯端末Ｔのコネクタ接続部Ｔｃに連結するためのアダプタ４０が装備されている（図９参照）。取手部材２０の他端２４の近傍には、アダプタ４０を収容するための凹部２５が設けられ、凹部２５内にアダプタ４０が出没可能に収容されている。凹部２５内には、アダプタ４０を回動自在に支持する支軸（図示省略）が設けられている。
【００１７】
図２に示すように、アダプタ４０の先端部には、コネクタ部４１が設けられている。コネクタ部４１は、タブレット型携帯端末Ｔのコネクタ接続部Ｔｃに挿抜自在に嵌合する（図９参照）。アダプタ４０の基端部には、軸方向に延びる切欠部４３を有する円筒状の取付部４４が設けられており、取付部４４が取手部材２０の支軸（図示省略）に回動自在かつ着脱可能に嵌合している。アダプタ４０は、タブレット型携帯端末Ｔ（図９参照）の種類に合わせてコネクタ部４１の形状・寸法をそれぞれ異ならせた複数種類のものが用意されている。
【００１８】
図３に示すように、靴べら部材１０の裏面１９は装飾領域１９ａとして使用される。装飾領域１９ａには、スニーカー等を製造・販売する会社等のロゴ画像、製品画像、広告画像など、多種多様な装飾が印刷等により施される。
【００１９】
上記のように構成された携帯用靴べら１は、携帯の際には、靴べら部材１０が平板状になっているのでかさばらない。そして、靴べらとして使用する際には、図４に示すようにキーリング３０を靴べら部材１０の切欠部１５に係合させた後、図５に示すように靴べら部材１０の一端１１と取手部材２０の他端２４を互いに逆向きに配置した状態で、図６に示すように取手部材２０を手Ｈで把持して靴べら部材１０側に押すことにより、靴べら部材１０の足当て部１３がその幅方向に使用者の踵の大きさに合せて湾曲変形するのでスムーズに靴Ｓを履くことができる。その際、図７に示すように、貫通孔１６及び切欠部１５がキーリング３０に案内されて互いに近接することにより、靴べら部材１０がその裏面１９側が凸になるように湾曲変形し、その湾曲した状態が安定に保たれるので、靴べら部材１０に剛性が付与され、足当て部１３を足の踵と靴Ｓとの間に挿し込み易くなる。また、靴べら部材１０の挿し込み及び引き抜きを、取手部材２０を把持して行うことにより、比較的長寸の靴べらと同様の良好な使い勝手でスムーズに靴Ｓを履くことができる。また、その際、図８に示すように、取手部材２０の突起部２３に手Ｈの親指Ｈｓを掛けることにより、取手部材２０を靴べら部材１０側に押し易くするとともに靴べら部材１０の引き抜きをよりし易くできる。
【００２０】
また、本実施形態では、靴べら部材１０の表面１７に他端１２側から一端１１側に放射状に延びる複数の溝１８が形成され、それら複数の溝１８を境界線にして複数箇所が少しずつ屈曲することにより、靴べら部材１０がその幅方向に使用する人の踵の大きさに合せて湾曲変形するように構成されているので（図７参照）、取手部材２０を把持する手Ｈの力で容易に靴べら部材１０を湾曲変形させることができる。また、その湾曲変形した状態において靴べら部材１０の断面形状が多角形状になるため、靴べらとしての使用時における靴べら部材１０の剛性をより高めることができる。
【００２１】
また、図３に示したように、靴べら部材１０の裏面１９を多種多様な装飾や図柄が施される装飾領域１９ａとして使用可能であるので、例えば、使用者が日常履くスニーカーの色やロゴ等に合わせた装飾を施したファッション性の高い携帯用靴べら１を実現することができる。また、取手部材２０にも靴べら部材１０と同様或いは関連性のある装飾を施すことによりファッション性をより高めることができる。
【００２２】
また、本実施形態の携帯用靴べら１は、図９に示すように、取手部材２０に装備されたアダプタ４０をタブレット型携帯端末Ｔのコネクタ接続部Ｔｃに嵌合させることにより、タブレット型携帯端末Ｔ用のスタンドとしても使用することができる。タブレット型携帯端末Ｔの種類に合わせて複数種類のアダプタ４０が用意されているので、タブレット型携帯端Ｔの種類に合ったアダプタ４０を取手部材２０に取り付けておくことにより、携帯用靴べら１を種々のタブレット型携帯端末Ｔのスタンドとして使用できる。
【００２３】
なお、本発明の実施形態は上記の実施形態に限定されるものではなく、本発明の技術的思想の趣旨を逸脱しない範囲において様々に変更、置換、変形されてもよい。
【００２４】
例えば、上記実施形態では、靴べら部材１０の裏面１９を装飾領域１９ａとしたが、表面１７を装飾領域１９ａとしてもよく、表面１７と裏面１９の両面を装飾領域１９ａとしてもよい。
【産業上の利用可能性】
【００２５】
本発明は以上のように構成したので、使用者の大小さまざまな踵の大きさにフィットし、携帯電話のスタンドとしても利用でき、さらにファッション性にも優れた靴べらとして好適に用いられるものである。
【符号の説明】
【００２６】
１  携帯用靴べら
１０  靴べら部材
１１  一端
１２  他端
１３  足当て部
１４ａ、１４ｂ  角部
１５  切欠部
１６  貫通孔
１７  表面
１８  溝
１９  裏面
１９ａ  装飾領域
２０  取手部材
２１  一端
２３  突起部
２４  他端
３０  キーリング（円環状の連結部材）
４０  アダプタ
４１  コネクタ部
Ｈ  手
Ｈｓ  親指
Ｓ  靴
Ｔ  タブレット型携帯端末
Ｔｃ  コネクタ接続部
【図１】
2019051099.tif 000003
【図２】
2019051099.tif 000004
【図３】
2019051099.tif 000005
【図４】
2019051099.tif 000006
【図５】
2019051099.tif 000007
【図６】
2019051099.tif 000008
【図７】
2019051099.tif 000009
【図８】
2019051099.tif 000010
【図９】
2019051099.tif 000011